(57)【要約】【課題】小火器例えばショットガン用の照準器レールの可調性が高い可調照準装置を提供する。【解決手段】小火器の銃身１又は銃身群上に固定可能なレール躯体３上に、その位置を調整できるよう照準器レール４を配置する。照準器レール４上に照準器８を配置する。可調性を向上させるため、レール躯体３に対する照準器レール４の上下位置を、調整要素１３によりその両端で調整可能とする。この照準装置を銃身１上に固定することによって、小火器を構成する。【選択図】図１
2007240142.tif 000002
【特許請求の範囲】
【請求項１】
小火器の銃身（１）又は銃身群に締結可能なレール躯体（３）と、レール躯体（３）上での位置を調整できるようレール躯体（３）上に配置される照準器レール（４）と、を備え、ショットガン等の小火器に用いられる可調型の照準装置であって、レール躯体（３）に対する照準器レール（４）の上下位置を二端で調整できるよう調整要素（６，１３）を設けたことを特徴とする照準装置。
【請求項２】
請求項１記載の照準装置であって、レール躯体（３）に対する照準器レール（４）の位置を無段階的に調整できるようにしたことを特徴とする照準装置。
【請求項３】
請求項１又は２記載の照準装置であって、照準器レール（４）側に複数本の調整用ボルト（６）が、またこれに対応してレール躯体（３）側に複数個の調整用ナット（１３）が配置され、関節をなすようそれらによって調整要素（６，１３）が形成されたことを特徴とする照準装置。
【請求項４】
請求項３記載の照準装置であって、レール躯体（３）を横方向に貫通する長孔（１２）内に調整用ナット（１３）が配置されたことを特徴とする照準装置。
【請求項５】
請求項１乃至４の何れか一項記載の照準装置であって、その高さを調整できる中間位置要素（９）上に照準器レール（４）が回動可能に配置されたことを特徴とする照準装置。
【請求項６】
請求項５記載の照準装置であって、レール躯体（３）の上下位置を調整できるよう中間位置要素（９）がレール躯体（３）の開口（１４）内に配置されたことを特徴とする照準装置。
【請求項７】
請求項５又は６記載の照準装置であって、横断ピン（１０）を中心に照準器レール（４）を回転させうるよう中間位置要素（９）が照準器レール（４）により保持されたことを特徴とする照準装置。
【請求項８】
請求項１乃至７の何れか一項記載の照準装置であって、レール躯体（３）と照準器レール（４）の間に複数個の加圧バネ（１９）が挟まれたことを特徴とする照準装置。
【請求項９】
請求項８記載の照準装置であって、レール躯体（３）の上面から上向きに突設されたペグ（１７）の盲孔（１８）内に加圧バネ（１９）が配置されたことを特徴とする照準装置。
【請求項１０】
請求項２乃至９の何れか一項記載の照準装置であって、横断ピン（５）を中心に回転させうるよう調整用ボルト（６）が照準器レール（４）側に配置されたことを特徴とする照準装置。
【請求項１１】
請求項１乃至１０の何れか一項記載の照準装置であって、銃身（１）上で可動案内されるようレール躯体（３）を設けその一端のみを銃身（１）に堅密連結させたことを特徴とする照準装置。
【請求項１２】
請求項１乃至１１の何れか一項記載の照準装置であって、レール躯体（３）から下向きに複数個のストップ（２０，２１）が突設され、そのストップ（２０，２１）に設けた案内溝（２２，２３）によって、銃身（１）又は銃身群の上側にあるベース（２９，３０）にストップ（２０，２１）が連結されたことを特徴とする照準装置。
【請求項１３】
請求項１乃至１２の何れか一項記載の照準装置であって、保持ネジ（３３）によってレール躯体（３）が銃身（１）の係止要素（２）に締結されたことを特徴とする照準装置。
【請求項１４】
請求項１３記載の照準装置であって、撃針緩衝器（３５，３６）が保持ネジ（３３）に一体化されたことを特徴とする照準装置。
【請求項１５】
請求項１４記載の照準装置であって、撃針緩衝器（３５，３６）がストップピン（３６）を有し、ストップピン（３６）が保持ネジ（３３）の中間位置貫通孔（３４）内で可動案内され且つ加圧バネ（３５）によって後方に向け作動することを特徴とする照準装置。
【請求項１６】
銃身（１）と、銃身（１）上に固定された照準装置と、を備える小火器であって、照準装置が請求項１乃至１５のうち何れか一項に記載の照準装置であることを特徴とする小火器。
【発明の詳細な説明】
【技術分野】
【０００１】
本発明は、請求項１の前提部分に記載の通り、ショットガン等の小火器用の可調照準装置に関する。本発明は、また、当該照準装置を備える小火器に関する。
【背景技術】
【０００２】
スポーツショットガン射撃、特にアメリカントラップには様々なスポーツディシプリンがあり、弾着点や標的像が異なっているため銃に求められる条件も異なっている。例えばアメリカンシングルトラップでは、ピジョンバンカー（標的放出器）と射撃選手の立ち位置の間の距離が難度に応じて変わるので、射撃選手はそれに対処する必要がある。そのため射撃選手は可調性のある照準器レールを求めているが、既存の可調型照準装置の可調性には制限乃至限界があり、通常は一次元的な調整しかできなかった。
【０００３】
【特許文献１】ドイツ特許出願公開第１０  ２００４  ０２６  ４３９号
【特許文献２】ドイツ特許第１  １５６  ００２号
【特許文献３】ドイツ特許第３８  ３２  ６８４号
【発明の開示】
【発明が解決しようとする課題】
【０００４】
本発明の目的は、明細書冒頭で言及したタイプの可調照準装置及びそれを備える小火器、特にその可調性が従来より高いものを実現することにある。
【課題を解決するための手段】
【０００５】
この目的は、請求項１記載の特徴を有する可調照準装置及び請求項１６記載の特徴を有する小火器によって達成される。各請求項の主題となっているのは、本発明による適切な対策及び有益な改良点である。
【０００６】
本発明に係る照準装置によれば、レール躯体に対する照準器レールの上下位置を調整要素によってレール躯体の両端で調整できる。即ち、照準器レールの上下位置を銃口部でも後部でも調整できる。従って、照準器レールに曲げ応力を発生させることなく、照準器レールの平行調整及び角度調整双方を行える。また、本発明に係る照準装置にはその照準器レールを簡便に交換できるという利点もある。即ち、本発明に係る照準装置では照準器レールを簡便に装着できまた必要に応じ迅速且つ簡便に交換できる。更に、本発明に係る照準装置では銃身の自由度がかなり高いので、温度変化による銃身の膨張量がレール躯体のそれと大きく異なっていてもかまわない。
【０００７】
特に、レール躯体に対する照準器レールの位置を無段階的に調整できる実施形態においては、好適にもかなり正確に調整できる。
【０００８】
また、照準器レール側に配置した複数本の調整用ボルトと、これに対応してレール躯体側に配置した複数個の調整用ナットとにより、関節をなすよう調整要素を形成した実施形態では、操作が簡便になる。調整用ナットの表面に竜頭状のギザギザを付けておけば、好ましくも、単純なやり方で手動調整できる。
【０００９】
或いは、その高さを調整できる中間位置要素上に例えば回動可能に照準器レールを配置する実施形態では、より多数の手段で照準器レールをレール躯体に支持できる。これに伴って案内手段が増えるが、それにもかかわらず、照準器レールの平行調整及び角度調整は双方共歪み無しで行える。
【００１０】
レール躯体と照準器レールの間に複数個の加圧バネを挟み込むことにより、好適にも、照準器レールの遊動をなくせる。
【００１１】
また、レール躯体を銃身上で可動案内し且つ一端のみで銃身に堅密連結する構成とするのが望ましい。そのような構成では、熱によって銃身が膨張してもレール躯体に歪みや変形は生じない。
【発明を実施するための最良の形態】
【００１２】
以下、本発明の好適な実施形態について図面を用いて説明する。本発明にはまだ説明していない新規な構成要素及び利点があるが、それらについても以下の説明から演繹することができよう。
【００１３】
図１に、ショットガンの銃身１及びその係止要素２と、そのレール躯体３が銃身１に締結されまたその照準器レール４がレール躯体３上に可調配置された照準装置とを示す。
【００１４】
照準器レール４は、図２に取り出して示してあるように銃身１のほぼ全長に亘って延設されており、その両端には調整用ボルト６が付設されている。各調整用ボルト６は横断ピン５を中心に回転しうるよう支持されており、また各調整用ボルト６のネジ山付の軸７は下向きに突出している。これら２本の調整用ボルト６の頭部は横から見ると平坦であるので、照準器レール４における案内性は良い。照準器８はこの照準器レール４の前部上側に固定されている。照準器レール４上の中間位置から下向き突出している中間位置要素９は、横断ピン１０を中心に回転しうるよう、照準器レール４によって支持されている。
【００１５】
図３に、照準器レール４を保持可能で且つ銃身１上に装着可能なレール躯体３を示す。このレール躯体３は銃身１及び係止要素２の全長に亘って延設されており、その前端及び後部には、調整用ボルト６を保持するための刳り孔（ボアホール）１１と、図１に示すように調整用ナット１３が入る横断長孔１２とが、つながって形成されている。刳り孔１１と刳り孔１１の中間位置に図中貫通長孔として形成されている開口１４は中間位置要素９を保持するための開口である。中間位置要素９の形状は開口１４に入る形状でありその断面は丸端フェザーキー状である。中間位置要素９の進入経路の片側には図示の如く長孔１５が設けられており、その周辺には図示しないがカウンタネジが入る貫通孔がある。中間位置要素９には図１に示すようにネジ山付の横刳り孔１６が設けられており、貫通孔に通されたカウンタネジは更にこの横刳り孔１６に螺入される。また、レール躯体３の上面には、刳り孔１１と隣り合うよう且つ上向きに、加圧バネ１９を保持するための盲孔１８を有する２本のペグ１７が突設されており、下面には、Ｔ字溝２２及び２３を有する２個のストップ２０及び２１が下向きに且つ間隔をおいて突設されている。この図では、一方のストップ２０がレール躯体３の前端に配置されており、他方のストップ２１が中間位置開口１４の近傍に配置されている。また、この図に示すように、レール躯体３の後部端面には、レール躯体３を係止要素２に締結できるようネジ山付の端部刳り孔２４が設けられている。
【００１６】
図１から読み取れるように、ネジ山付の軸７を有する２本の調整用ボルト６は、それぞれ、長孔１２内に配置されている２個の調整用ナット１３のうち対応するものに螺入されている。各調整用ナット１３の表面には竜頭状のギザギザがついており、その一部がレール躯体３から横方向にはみ出している。図６から読み取れるように、照準器レール４の不要調整を防ぐため、調整用ナット１３は、ラジアル方向にネジが形成され且つロッキングネジ２６が付設された刳り孔２５を有している。調整用ナット１３は、更に、図示しないがその下側に配置されているカップバネによって長孔１２内で軸方向に付勢されている。また、２本あるペグ１７（図６ではそのうち１個を示す）に設けられている盲孔１８内には、レール躯体３から見て上方へと照準器レール４を付勢する加圧バネ１９が配置され、照準器レール４が遊動しないようにしている。
【００１７】
照準器レール４を調整する際には、まず、ネジ山付の刳り孔１６内に差し込まれているカウンタネジを緩めればよい。そうすれば、レール躯体３に対する照準器レール４の位置を変えられる状態になる。更に２個の調整用ナット１３を回すことで、銃口又は係止要素２の近傍で照準器レール４の上下位置を調整できる。即ち、照準器レール４に曲げ応力を発生させることなく且つ無段階的に平行調整及び角度調整双方を行える。この調整は、照準器レール４、レール躯体３又はその双方に位置を示すマーキング乃至スケール２７が付されているのでやりやすい。また、図１から読み取れるように、レール躯体３の左右側面には前部軸カバー２８が固定されている。
【００１８】
また、照準装置を取り付けられるようにするため、図４に詳細に示すように、レール躯体３から下向きに突出しているストップ２０及び２１を保持できる２個のベース２９及び３０が、銃身１の上面に互いに間隔をおいて設けられている。これに関連して、図５から読み取れるように、各ベース２９及び３０の輪郭は、ストップ２０及び２１に設けられているＴ字溝２２及び２３に嵌められるＴ字状の形状になっている。従って、レール躯体３を銃身１に乗せて前方から押し、係止要素２から上向きに突出しているストップ３２にレール躯体３の裏側３１がぶつかったら（図６）保持ネジ３３をネジ山付の刳り孔２４内に螺入させることにより、係止要素２上にレール躯体３を固定することができる。２個のベース２９及び３０は、溶接その他の手法によって銃身１上に固定すればよい。
【００１９】
また、図示実施形態に係る銃身１は、上下二連式ショットガンのレシーバ用の交互銃身として構成されているが、その銃身係止要素２上にあるのは上部銃身ではなく照準装置である。レール躯体３を係止要素２上に固定するための保持ネジ３３は、図６によれば上部撃針の高さに配置されており、またその中間位置貫通孔３４に設けられているストップピン３６は、図示しない二連銃身ショットガン用上部撃針に代わり、バネ３５によって後方に作動する。これにより、上部撃針がストライクしたときクッションとなり上部撃針を保護する撃針緩衝器が形成される。
【図面の簡単な説明】
【００２０】
【図１】本発明に係る照準装置を備えたショットガンの銃身を示す部分切欠側面図である。
【図２】図１に示した照準装置用の照準器レールを示す部分切欠側面図である。
【図３】図１に示した照準装置用のレール躯体を示す部分切欠側面図である。
【図４】銃身係止要素を備えたショットガンの銃身を示す側面図である。
【図５】図４中のＡ−Ａ線に沿った断面図である。
【図６】銃身係止要素を備えた銃身の後部を示す拡大部分切欠側面図である。
【図１】
2007240142.tif 000003
【図２】
2007240142.tif 000004
【図３】
2007240142.tif 000005
【図４】
2007240142.tif 000006
【図５】
2007240142.tif 000007
【図６】
2007240142.tif 000008